(57)【要約】      （修正有）【課題】構造的な耐力を増大し、また、ハウス内への日射を確保する等、良好な植物栽培を可能にした立体栽培ハウスシステムを提供する。【解決手段】平面視で矩形の複数層の本体部１２と、本体部の四周に配置された回廊部１４とを備え、各回廊部が、下端が記本体部から遠去かる方へ延びるように傾斜した斜材によって側面視で直角三角形に形成されたトラス構造を有する。また、隣接する各回廊部が接続されており、本体部の屋根部および各回廊部の外面が、内部が遮蔽された空間になるように、透明又は半透明のビニルによって形成されたシートによって被覆され、本体部の上下に位置する層同士が、吹き抜けによって互いに流体連通するように構成されていることを特徴とする。【選択図】図１
0003185259.tif 000002
【実用新案登録請求の範囲】
【請求項１】
多層式立体栽培ハウスシステムであって、
平面視で矩形の複数層の本体部と、
前記本体部の四周に配置された回廊部とを備え、
各回廊部が、下端が前記本体部から遠去かる方へ延びるように傾斜した斜材によって側面視で直角三角形に形成されたトラス構造を有し、隣接する各回廊部が接続されており、
前記本体部の屋根部および各回廊部の外面が、内部が遮蔽された空間になるように、透明又は半透明のビニルによって形成されたシートによって被覆されており、
前記本体部の上下に位置する層同士が、吹き抜けによって互いに流体連通するように構成されていることを特徴とするシステム。
【請求項２】
前記本体部および前記回廊部を形成する部材が、木材であることを特徴とする請求項１に記載されたシステム。
【請求項３】
雨水集水設備をさらに備え、前記雨水集水設備が、前記本体部の屋根部に水平方向に延びるように配置された樋と、前記樋から前記本体部の各層の所望の箇所まで延びた管とを有することを特徴とする請求項１又は２に記載されたシステム。
【請求項４】
前記シートが、二重又は三重のビニルによって形成されていることを特徴とする請求項１から請求項３までのいずれか１項に記載されたシステム。
【請求項５】
前記シートの全部又は一部に熱吸収塗料が塗布されていることを特徴とする請求項４に記載されたシステム。
【考案の詳細な説明】
【技術分野】
【０００１】
本考案は、植物の立体栽培に使用される多層式立体栽培ハウスシステムに関する。本考案のシステムで栽培される植物には、野菜、果樹、キノコや花卉などの多様な植物が含まれ、通常の栽培用途の他、育苗用、水耕栽培用などの用途にも使用される。
【背景技術】
【０００２】
植物の栽培方式としてビニルハウスを使用する栽培法は、広く活用されている。また、同一面積において収穫量を増大させる方法として、立体栽培法が知られている。
【考案の概要】
【考案が解決しようとする課題】
【０００３】
従来のビニルハウスでは、特に積雪地帯においては、降雪でビニルハウスが倒壊することがあり、維持管理に多大な労力を要していた。また、積雪地帯では、排雪をする必要があるため、隣接するビニルハウス間にスペースを設けなければならず、土地の有効活用の点で改善すべき課題となっていた。また、従来のビニルハウスの特に妻側では、ハウス内に均等に光が入りにくいため、ハウス内の栽培植物の成長にばらつきがあるという課題があった。また、従来のビニルハウスでは、ハウス内における空気の淀みにより病原菌が発生したり、結露が発生し易いなどの課題があった。
【０００４】
本考案は、このような状況に鑑みて開発されたものであって、従来のビニルハウスにおいて課題となっていた点を改善し、良好な植物栽培を可能にする立体栽培ハウスシステムを提供することを目的としている。
【課題を解決するための手段】
【０００５】
本願請求項１に記載の多層式立体栽培ハウスシステムは、平面視で矩形の複数層の本体部と、前記本体部の四周に配置された回廊部とを備え、各回廊部が、下端が前記本体部から遠去かる方へ延びるように傾斜した斜材によって側面視で直角三角形に形成されたトラス構造を有し、隣接する各回廊部が接続されており、前記本体部の屋根部および各回廊部の外面が、内部が遮蔽された空間になるように、透明又は半透明のビニルによって形成されたシートによって被覆されており、前記本体部の上下に位置する層同士が、吹き抜けによって互いに流体連通するように構成されていることを特徴とするものである。
【０００６】
本願請求項２に記載の多層式立体栽培ハウスシステムは、前記請求項１のシステムにおいて、前記本体部および前記回廊部を形成する部材が、木材であることを特徴とするものである。
【０００７】
本願請求項３に記載の多層式立体栽培ハウスシステムは、前記請求項１又は２のシステムにおいて、雨水集水設備をさらに備え、前記雨水集水設備が、前記本体部の屋根部に水平方向に延びるように配置された樋と、前記樋から前記本体部の各層の所望の箇所まで延びた管とを有することを特徴とするものである。
【０００８】
本願請求項４に記載の多層式立体栽培ハウスシステムは、前記請求項１から３までのいずれか１項のシステムにおいて、前記シートが、二重又は三重のビニルによって形成されていることを特徴とするものである。
【０００９】
本願請求項５に記載の多層式立体栽培ハウスシステムは、前記請求項４のシステムにおいて、前記シートの全部又は一部に熱吸収塗料が塗布されていることを特徴とするものである。
【考案の効果】
【００１０】
本考案のシステムにおいては、周囲に回廊部を設けたことにより、構造的な耐力を増大させるとともに、ハウス内の容積および床面積を増加させることができる。また、回廊部の設置により、ハウス内への良好な日射が期待され、これによりハウス内の空気の淀みを解消し、栽培植物の病気による被害を減少させることができる。また、構造材として木材を使用することにより、暖房負荷の軽減、結露問題の解消、外部への熱損失の軽減という効果が得られる。また、シートを二重又は三重のビニルで形成することより、破損しにくくすることができる。さらに、雨水集水設備を設けることにより、雨水を処理するとともに、その有効活用を図ることができる。
【図面の簡単な説明】
【００１１】
【図１】本考案の好ましい実施の形態に係る多層式立体栽培ハウスシステムの正面図である。
【図２】図１の多層式立体栽培ハウスシステムの右側面図である。
【図３】図３（ａ）は、図１の線３ａ−３ａに沿って見た図、図３（ｂ）は、図１の線３ｂ−３ｂに沿って見た図である。
【図４】図１の多層式立体栽培ハウスシステムの全体を模式的に示した分解斜視図である。
【図５】図１の多層式立体栽培ハウスシステムの本体部を模式的に示した分解斜視図である
【図６】図１の多層式立体栽培ハウスシステムの全体を示した斜視図である。
【図７】図１の多層式立体栽培ハウスシステムの内部の一例を示した図である。
【図８】図１の多層式立体栽培ハウスシステムに設置される雨水集水設備を示した図である。
【考案を実施するための形態】
【００１２】
次に添付図面を参照して、本考案の好ましい実施の形態に係る多層式立体栽培ハウスシステムについて詳細に説明する。図１は、本考案の好ましい実施の形態に係る多層式立体栽培ハウスシステムの正面図、図４は、本考案の好ましい実施の形態に係る多層式立体栽培ハウスシステムの全体を模式的に示した分解斜視図である。図１において全体として参照符号１０で示される本考案の好ましい実施の形態に係る多層式立体栽培ハウスシステムは、平面視で矩形の本体部１２を備えている。
【００１３】
図５は、図１の本体部１２を構成するフレームを模式的に示した分解斜視図である。本体部１２は、４つの２層３連の主フレーム１２ａ、１２ｂ、１２ｃ、１２ｄと、各フレーム１２ａ〜１２ｄの対応する箇所を連結する桁行梁１２ｅとを有している。なお、主フレーム１２ａ〜１２ｄと桁行梁１２ｅとの連結は、通常のボルト接合を用いてよい。
【００１４】
好ましくは、各主フレーム１２ａ〜１２ｄの上部には、弧状梁１２ｆが取り付けられている。弧状梁１２ｆを取り付けることにより、多層式立体栽培ハウスシステムは、図１に最もよく示されるように、上部（屋根部）が３連のドーム状の形態を呈するものとなる。
【００１５】
各主フレーム１２ａ〜１２ｄ、桁行梁１２ｅ、及び弧状梁１２ｆによって構成される面には、小梁や間柱、ブレース、方杖（いずれも図示せず）などの所要の部材が適宜配置されている。
【００１６】
多層式立体栽培ハウスシステム１０はまた、本体部１２の四周に配置された回廊部１４を備えている。各回廊部１４は、下端が本体部１２から遠去かる方へ延びるように傾斜した複数本（図４に示される例では４本）の斜材１４ａによって側面視で直角三角形に形成されており、各斜材１４ａは、繋ぎ梁１４ｂによって連結されて堅固な立体トラス構造を形作っている。
【００１７】
回廊部１４を設けることにより、多層式立体栽培ハウスシステム１０内の容積および床面積を増加させることができるとともに、多層式立体栽培ハウスシステム１０自体の構造的な耐力を増大することもできる。
【００１８】
各回廊部１４は、隅角部１６によって互いに接続されており、各回廊部１４の空間内を自由に移動できるようになっている。なお、図４に示される例では、隅角部１６によって各回廊部１４が接続されているが、各回廊部１４の端部を延長して、隣接する回廊部１４と接続するように構成してもよい。
【００１９】
本体部１２の上部（屋根部）、各回廊部１４と各隅角部１６の外面は、シート１８によって被覆されており、これにより多層式立体栽培ハウスシステム１０の内部空間は、シート１８によって遮蔽された空間になる。シート１８としては、透明又は半透明の通常のビニルを使用してもよい（或いは、強化ガラスなどのガラスを使用してもよい）。好ましくは、シート１８は、二重又は三重のビニルによって形成されている。より好ましくは、二重又は三重のビニル間に隙間を設けて空気層とすることにより、断熱効果を一層高めることができる。図６は、多層式立体栽培ハウスシステム１０の壁面の状態を示した斜視図である。なお、ハウスシステム１０内への日射量をより増加させるために、シート１８の全部又は一部に熱吸収塗料等を塗布してもよい（図６には、屋根部に熱吸収塗料を塗布したシート１８′が配置されている例が示されている）。
【００２０】
図１に示される多層式立体栽培ハウスシステム１０は２層構造であるが、上層の床を形成する材料は、下層に日射が容易に届くように、透明な材料（例えば、強化ガラスなど）を使用するのが好ましい。上層と下層は、吹き抜けを設けることにより、流体連通（空気が通り抜ける）するように構成されている。
【００２１】
なお、図１、図６などに示されている参照符号２０、２０ａは、出入口、換気口をそれぞれ表している。
【００２２】
好ましくは、多層式立体栽培ハウスシステム１０は、雨水集水設備２２を備えている。雨水集水設備２２は、図８（ａ）および図８（ｂ）に示されるように、弧状梁１２ｆの下縁に桁行き方向に延びるように配置された樋２２ａと、樋２２ａから各層の所望の箇所まで延びるように配置された管２２ｂとを有している。そして、多層式立体栽培ハウスシステム１０の屋根部に降った雨は、樋２２ａに集められ、次いで管２２ｂを介して、ハウス内の所望箇所に導かれ、栽培している植物に供給されるようになっている。
【００２３】
好ましくは、多層式立体栽培ハウスシステム１０を構成する主フレーム、各種梁などを構成する部材は、木材によって形成されている。これらの部材に木材を使用することにより、（１）木材が日中に暖められて蓄熱されて暖房負荷が著しく軽減され、（２）鋼材によって形成されるハウスで問題となっていた結露問題が解消され、（３）鋼材より熱伝導率が低いため、外部への熱損失が軽減される、という効果が得られる
【００２４】
以上のように構成された多層式立体栽培ハウスシステム１０の作動態様について説明する。多層式立体栽培ハウスシステム１０の周囲は、傾斜面をなした回廊部１４によって構成されているため、ハウス内への良好な日射が期待される。このような良好な日射により、回廊部１４の壁面に上昇気流が生じ、上層と下層の間に吹き抜けが設けられているため、ハウス内全体に対流現象が生ずる。そして、このような対流現象に加えて適切な換気を行うことにより、ハウス内の空気の淀みが解消され、浮遊菌が減少し、栽培植物の病気による被害を減少させる。また、雨水集水設備２２を設けることにより、雨水処理と栽培植物への給水を効率的に行うことができる。さらに、構造部材として木材を使用することにより、結露作用を低減し、断熱効果を増大させることができる。また、構造部材として、公知の合成樹脂材を使用してもよい。
【００２５】
図７は、多層式立体栽培ハウスシステム１０の内部の一例を示した図である。図７に示される例では、１層から２層に至る階段が設置されており、自由に行き来できるようになっている。各層に栽培植物用の多数の段（図示せず）を設け、立体栽培に適するようにハウス内部を構成してもよい。
【００２６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２７】
たとえば、前記実施形態では、多層式立体栽培ハウスシステム１０が２層３連の主フレーム１２によって形成されるものとして示されているが、主フレームを３層以上にしてもよく、１連、２連又は４連以上にしてもよい。また、４つの主フレーム１２ａ〜１２ｄによって形成されるものとして示されているが、主フレームの個数は、これに限定するものではない。さらに、図示した多層式立体栽培ハウスシステム１０の形状や寸法などは、単なる例示的なものにすぎず、これらに限定されるものではない。
【符号の説明】
【００２８】
１０  多層式立体栽培ハウスシステム
１２  本体部
１２ａ、１２ｂ、１２ｃ、１２ｄ  主フレーム
１２ｅ  桁行梁
１２ｆ  弧状梁
１４  回廊部
１４ａ  斜材
１４ｂ  繋ぎ材
１６  隅角部
１８  シート
２０  出入口
２０ａ  換気口
２２  雨水集水設備
２２ａ  樋
２２ｂ  管
【図１】
0003185259.tif 000003
【図２】
0003185259.tif 000004
【図３】
0003185259.tif 000005
【図４】
0003185259.tif 000006
【図５】
0003185259.tif 000007
【図６】
0003185259.tif 000008
【図７】
0003185259.tif 000009
【図８】
0003185259.tif 000010